(57)【要約】【課題】管理者が開閉扉を開けて球抜き操作部を操作し，球貯留部から遊技球を抜き出すことができる一方，遊技者が悪戯をして遊技球を抜き出してしまうことを防止できるパチンコ遊技機を提供すること。【解決手段】パチンコ遊技機１は，球貯留部としての球タンク２３，球タンク２３内の遊技球８をパチンコ遊技機１の外部へと抜き出すための球抜き通路２６，球抜き操作部６の操作を受けて球タンク２３から球抜き通路２６へと遊技球８を流下させる球抜き機構３等を有している。球タンク２３は，球貯留部配設枠としての前枠２の裏面側２０２に配設されており，前枠２の前面側２０１には，開閉扉としてのガラス扉５１が開閉可能に配設されている。球抜き操作部６は，ガラス扉５１を前枠２に対して開けた際に露出する部分である前枠２の前面側２０１に設けてある。【選択図】  図１
2005006847.tif 000002
【特許請求の範囲】
【請求項１】
遊技球を収容する球貯留部と，該球貯留部内の上記遊技球をパチンコ遊技機の前面側又は裏面側から抜き出すための球抜き通路と，球抜き操作部の操作を受けて，上記球貯留部から上記球抜き通路へと上記遊技球を流下させるための球抜き機構とを有するパチンコ遊技機において，
上記球貯留部は，上記パチンコ遊技機における球貯留部配設枠の裏面側に配設されており，また，該球貯留部配設枠の前面側には，開閉扉が開閉可能に配設されており，
上記球抜き操作部は，上記開閉扉を上記球貯留部配設枠に対して開けた際に露出する部分に設けてあることを特徴とするパチンコ遊技機。
【請求項２】
請求項１において，上記球貯留部配設枠は，上記パチンコ遊技機における外枠の前面側に配設した前枠であると共に，上記球貯留部は，上記前枠の裏面側に配設されており，また，上記開閉扉は，上記前枠の前面側に開閉可能に配設したガラス扉もしくは球皿ユニットであり，
上記球抜き操作部は，上記前枠の前面側又は上記ガラス扉もしくは上記球皿ユニットの裏面側に設けてあることを特徴とするパチンコ遊技機。
【請求項３】
請求項１又は２において，上記球貯留部の下方には，上記球抜き通路と，球払出通路とが形成されており，
上記球抜き機構は，上記球貯留部から上記球抜き通路へと上記遊技球を流下させるための球抜き位置と，上記球貯留部から上記球払出通路へと上記遊技球を流下させるための球払出位置との間で移動可能な通路切替部を有しており，
該通路切替部は，上記球抜き操作部の操作を受けて，上記球払出位置から上記球抜き位置へと移動するよう構成されていることを特徴とするパチンコ遊技機。
【請求項４】
請求項１〜３のいずれか一項において，上記パチンコ遊技機には，上記開閉扉を閉じた状態で施錠する施錠機構が設けられていることを特徴とするパチンコ遊技機。
【請求項５】
請求項１〜４のいずれか一項において，上記球貯留部の下方には，球流下通路が形成されていると共に，該球流下通路には，上記球貯留部から所定数の上記遊技球を払い出すための球払出機構が配設されており，
また，上記球抜き機構は，上記通路切替部を上記球抜き位置へ移動させたときには，上記球流下通路から上記球抜き通路へと上記遊技球を流下させ，一方，上記通路切替部を上記球払出位置へ移動させたときには，上記球流下通路から上記球払出通路へと上記遊技球を流下させるよう構成されており，
上記球抜き操作部は，上記パチンコ遊技機に設けた制御装置に電気入力信号を送る電気的スイッチであり，上記球抜き機構及び上記球払出機構は，上記制御装置からの電気出力信号を受けて動作可能なアクチュエータを用いて構成されており，
上記制御装置は，上記球抜き操作部の操作を受けて，上記球抜き機構における上記通路切替部を上記球払出位置から上記球抜き位置へと移動させると共に上記球払出機構を動作させて，上記球貯留部から上記球抜き通路へと上記遊技球を流下させるよう構成されていることを特徴とするパチンコ遊技機。
【請求項６】
請求項１〜５のいずれか一項において，上記球抜き操作部は，上記球貯留部配設枠の前面側又は上記開閉扉の裏面側に形成した凹部内に設けてあることを特徴とするパチンコ遊技機。
【請求項７】
請求項１〜６のいずれか一項において，上記球抜き操作部は，移動又は着脱可能な保護カバーにより覆われていることを特徴とするパチンコ遊技機。
【発明の詳細な説明】
【０００１】
【技術分野】
本発明は，パチンコ遊技機に関し，特に，球抜き操作部の操作を受けて球貯留部からパチンコ遊技機の外部へと遊技球を抜き出すための構造に関する。
【０００２】
【従来技術】
パチンコ遊技機は，外枠の前面側に，遊技領域を形成する遊技盤を備えた前枠を開閉可能に配設して構成されており，前枠の裏面側には，各種制御部品等を備えた機構板を配設している。上記機構板には，遊技球を収容する球タンクが配設されており，この球タンクの下方には，賞球又は貸球を行う際に所定数の遊技球を球皿ユニットに払い出すための球払出通路と，メンテナンスのときなどに球タンク内の遊技球をパチンコ遊技機の外部に抜き出すための球抜き通路とが形成されている。
そして，球払出通路と球抜き通路との分岐部分には，上記球タンクから流下する遊技球を球払出通路へと流下させるための球払出位置と，遊技球を球抜き通路へと流下させるための球抜き位置との間で移動可能な通路切替部材が配設されている。
【０００３】
上記通路切替部材は，パチンコ遊技を行う際には，上記球払出位置にあり，上記機構板に設けた球抜き操作部を押したときだけ上記球抜き位置に移動するよう構成されている。このようなパチンコ遊技機に設けた球抜き構造としては，特許文献１，２に示すものがある。
そして，特許文献１，２においては，パチンコ遊技機におけるガラス扉等の最表面に，上記球抜き操作部に通じる操作穴を形成している。そして，この操作穴に差込棒を差し込んで球抜き操作部を操作したときには，上記通路切替部材が上記球払出位置から球抜き位置へと移動し，遊技球をパチンコ遊技機の外部に抜き出している。
【０００４】
【特許文献１】
特開２００１−２３９０３６号公報
【特許文献２】
特許第３２５８９１０号公報
【０００５】
【解決しようとする課題】
しかしながら，上記従来のパチンコ遊技機においては，上記操作穴に差し込むことができる差込棒さえあれば，誰でも球抜き操作部を操作することができてしまう。そのため，遊技者が悪戯をして，球抜き操作部を操作してしまうおそれがある。
【０００６】
本発明は，かかる従来の問題点に鑑みてなされたもので，管理者が開閉扉を開けて球抜き操作部を操作し，球貯留部から遊技球を抜き出すことができる一方，遊技者が悪戯をして遊技球を抜き出してしまうことを防止できるパチンコ遊技機を提供しようとするものである。
【０００７】
【課題の解決手段】
第１の発明は，遊技球を収容する球貯留部と，該球貯留部内の上記遊技球をパチンコ遊技機の前面側又は裏面側から抜き出すための球抜き通路と，球抜き操作部の操作を受けて，上記球貯留部から上記球抜き通路へと上記遊技球を流下させるための球抜き機構とを有するパチンコ遊技機において，
上記球貯留部は，上記パチンコ遊技機における球貯留部配設枠の裏面側に配設されており，また，該球貯留部配設枠の前面側には，開閉扉が開閉可能に配設されており，
上記球抜き操作部は，上記開閉扉を上記球貯留部配設枠に対して開けた際に露出する部分に設けてあることを特徴とするパチンコ遊技機にある（請求項１）。
【０００８】
本発明のパチンコ遊技機においては，上記球抜き操作部は，上記開閉扉を上記球貯留部配設枠に対して開けた際に露出する部分に設けてある。そして，例えば，パチンコ遊技機のメンテナンス等が必要になり，上記球貯留部内の遊技球をその外部に抜き出す際には，パチンコ遊技機の管理者が上記開閉扉を上記球貯留部配設枠に対して開けることにより，上記球抜き操作部が露出して操作可能になる。そして，管理者が球抜き操作部を操作すると，上記球抜き機構が動作して，球貯留部内の遊技球をパチンコ遊技機の前面側又は裏面側から抜き出すことができる。
【０００９】
一方で，遊技者がパチンコ遊技を行う際には，上記開閉扉は閉じられており，上記球抜き操作部はこの開閉扉に覆われていて操作することができない。
それ故，本発明によれば，管理者が開閉扉を開けて球抜き操作部を操作し，球貯留部から遊技球を抜き出すことができる一方，遊技者が悪戯をして遊技球を抜き出してしまうことを防止することができる。
【００１０】
【発明の実施の形態】
上述した本発明における好ましい実施の形態につき説明する。
本発明において，上記開閉扉を上記球貯留部配設枠に対して開けた際に露出する部分とは，上記球貯留部配設枠の前面側又は上記開閉扉の裏面側とすることができる。
また，上記球貯留部としては，遊技球を収容する球タンク，球タンクの下方に配設されたタンクレール，球タンクとタンクレールとが一体化されたもの，その他，遊技球の貯留機能を有する部分等がある。
【００１１】
上記球抜き通路は，上記球貯留部から上記パチンコ遊技機の外部へ遊技球を抜き出すための外部抜出口へと連通させておくことができる。この場合には，球抜き通路は，パチンコ遊技機の裏面側に形成し，上記球抜き操作部を操作することにより，パチンコ遊技機の裏面側における外部抜出口からパチンコ遊技機の外部へ遊技球を抜き出すことができる。より具体的には，パチンコ遊技機を遊技場に設置したときには，パチンコ遊技機の設置装置（いわゆる島設備）へと遊技球を抜き出すことができる。
【００１２】
また，上記球抜き通路は，上記球貯留部からパチンコ遊技機の前面側に配設した球皿ユニットへと連通させておくこともできる。この場合には，上記球抜き操作部を操作することにより，球貯留部からパチンコ遊技機の前面側における球皿ユニットへ遊技球を抜き出すことができる。なお，これ以外にも，上記球抜き通路は，球皿ユニット以外のパチンコ遊技機における前面側の各部位に設けた球抜き口に連通させておくことができる。
【００１３】
上記球抜き操作部としては，上記パチンコ遊技機に設けた制御装置に電気入力信号を送る電気的スイッチ，上記球抜き機構を直接機械的に動作させることができる機械的操作部，又は上記球抜き機構に通じ，操作棒（差込棒）を差し込むことによって球抜き機構の動作を可能にする操作孔等がある。
【００１４】
また，上記球貯留部配設枠は，上記パチンコ遊技機における外枠の前面側に配設した前枠であると共に，上記球貯留部は，上記前枠の裏面側に配設されており，また，上記開閉扉は，上記前枠の前面側に開閉可能に配設したガラス扉もしくは球皿ユニットであり，上記球抜き操作部は，上記前枠の前面側又は上記ガラス扉もしくは上記球皿ユニットの裏面側に設けてあることが好ましい（請求項２）。
この場合には，上記前枠に対して，軽量な上記ガラス扉もしくは球皿ユニットを開けるだけで，上記球抜き操作部を操作することができる。そのため，上記開閉扉を開けることが容易であり，パチンコ遊技機の管理者が上記球貯留部から遊技球を抜き出すことが容易である。
【００１５】
なお，上記球貯留部配設枠は，上記球貯留部を配設した機構板を取り付けた外枠とし，上記開閉扉は，上記ガラス扉を開閉可能に配設した上記前枠とすることもできる。また，これ以外にも，上記球貯留部配設枠は，パチンコ遊技機における種々の枠部材とすることができる。すなわち，上記球貯留部配設枠は，必ずしも開口部を有する枠形状の枠部材でなくてもよく，筐体状の部材であってもよい。
【００１６】
また，上記球貯留部の下方には，上記球抜き通路と，球払出通路とが形成されており，上記球抜き機構は，上記球貯留部から上記球抜き通路へと上記遊技球を流下させるための球抜き位置と，上記球貯留部から上記球払出通路へと上記遊技球を流下させるための球払出位置との間で移動可能な通路切替部を有しており，該通路切替部は，上記球抜き操作部の操作を受けて，上記球払出位置から上記球抜き位置へと移動するよう構成されていることが好ましい（請求項３）。
【００１７】
この場合には，上記球抜き機構は，上記通路切替部の移動により，上記球貯留部から上記球抜き通路への遊技球の抜出を行う状態と，球貯留部から上記球払出通路への遊技球の払出を行う状態との切替を行うことができる。
そして，遊技者がパチンコ遊技を行うときには，通路切替部を上記球払出位置に移動させておき，管理者がメンテナンス等を行うときだけ，通路切替部を上記球抜き位置に移動させることができる。
【００１８】
また，上記パチンコ遊技機には，上記開閉扉を閉じた状態で施錠する施錠機構が設けられていることが好ましい（請求項４）。
この場合には，上記施錠機構の施錠を解除しない限り，上記開閉扉を開けて上記球抜き操作部を操作することができない。そのため，上記球貯留部から遊技球を悪戯で抜き出されることを確実に防止することができる。
【００１９】
また，上記球貯留部の下方には，球流下通路が形成されていると共に，該球流下通路には，上記球貯留部から所定数の上記遊技球を払い出すための球払出機構が配設されており，また，上記球抜き機構は，上記通路切替部を上記球抜き位置へ移動させたときには，上記球流下通路から上記球抜き通路へと上記遊技球を流下させ，一方，上記通路切替部を上記球払出位置へ移動させたときには，上記球流下通路から上記球払出通路へと上記遊技球を流下させるよう構成されており，上記球抜き操作部は，上記パチンコ遊技機に設けた制御装置に電気入力信号を送る電気的スイッチであり，上記球抜き機構及び上記球払出機構は，上記制御装置からの電気出力信号を受けて動作可能なアクチュエータを用いて構成されており，上記制御装置は，上記球抜き操作部の操作を受けて，上記球抜き機構における上記通路切替部を上記球払出位置から上記球抜き位置へと移動させると共に上記球払出機構を動作させて，上記球貯留部から上記球抜き通路へと上記遊技球を流下させるよう構成されていることが好ましい（請求項５）。
【００２０】
この場合には，上記球抜き操作部からの電気入力信号により，上記球抜き機構を電気的に動作させることができる。そのため，球抜き操作部を球抜き機構から離れた箇所に設けることが容易になり，球抜き操作部を設ける際の制約を少なくすることができる。
また，この場合には，上記通路切替部が上記球払出位置にあるときには，上記制御装置からの電気出力信号により，上記球払出機構は，所定数の遊技球を球皿ユニットに払い出すことができる。さらに，球抜き操作部からの電気入力信号により，上記通路切替部を上記球払出位置から上記球抜き位置に移動させたときには，球払出機構の動作を利用して，球貯留部内の遊技球を抜き出すことができる。
【００２１】
また，上記球抜き操作部は，上記球貯留部配設枠の前面側又は上記開閉扉の裏面側に形成した凹部内に設けてあることが好ましい（請求項６）。
この場合には，上記球抜き操作部がその周辺部分よりも後退した位置にあり，誤って球抜き操作部を操作させてしまうことを防止することができる。
【００２２】
また，上記球抜き操作部は，移動又は着脱可能な保護カバーにより覆っておくこともできる（請求項７）。
この場合にも，上記保護カバーにより，球抜き操作部を誤って操作させてしまうことを防止することができる。そして，球抜き操作部は，保護カバーの移動又は取外しを行ってから操作することができる。
【００２３】
【実施例】
以下に，図面を用いて本発明のパチンコ遊技機に係る実施例につき説明する。
（実施例１）
本例のパチンコ遊技機１は，図４〜図６に示すごとく，遊技球８を収容する球貯留部としての球タンク２３と，この球タンク２３内の上記遊技球８をパチンコ遊技機１の外部へと抜き出すための球抜き通路２６と，球抜き操作部６の操作を受けて，上記球タンク２３から上記球抜き通路２６へと上記遊技球８を流下させるための球抜き機構３とを有する。
【００２４】
上記球タンク２３は，図２，図３に示すごとく，上記パチンコ遊技機１における球貯留部配設枠としての前枠２の裏面側２０２に配設されており，また，この前枠２の前面側２０１には，開閉扉としてのガラス扉５１が開閉可能に配設されている。上記球抜き操作部６は，図１に示すごとく，上記ガラス扉５１を上記前枠２に対して開けた際に露出する部分，すなわち本例では前枠２の前面側２０１に設けてある。
以下に，これを詳説する。
【００２５】
図２，図３に示すごとく，本例のパチンコ遊技機１は，このパチンコ遊技機１における外枠２０と，この外枠２０の前面側に配設した上記前枠２と，この前枠２の前面側２０１に開閉可能に配設した上記ガラス扉５１とを有している。
上記前枠２は，遊技領域を形成する遊技盤２２と，パチンコ遊技を制御する各種制御装置７及び各種電気部品を取り付けた機構板２１とを配設してなるものである。遊技盤２２は，前枠２の前面側２０１に，機構板２１は，前枠２の裏面側２０２に配設されている。
【００２６】
また，上記球タンク２３，球抜き通路２６，球抜き機構３，後述する球払出機構４及び球払出通路２５のいずれもは，上記前枠２に配設した機構板２１に設けられている。また，上記ガラス扉５１は，プラスチック製の枠部５１１の内側にガラス板５１２を配設してなるものである。
なお，上記球タンク２３，球抜き通路２６，球抜き機構３，後述する球払出機構４及び球払出通路２５は，上記前枠２に直接設けることもできる。
【００２７】
図１〜図３に示すごとく，本例のパチンコ遊技機１においては，上記球抜き操作部６は，前枠２の前面側２０１において，上記ガラス扉５１を開けた際に露出する領域に設けてある。この球抜き操作部６は，前枠２において，これに対するガラス扉５１の開閉支点を形成した左右方向の端部とは反対側の端部の近傍に設けてある。
【００２８】
本例では，右開きタイプのガラス扉５１としたため，上記開閉支点は，パチンコ遊技機１に向かって左側の端部に形成してあり，上記球抜き操作部６は，パチンコ遊技機１に向かって右側の端部の近傍に配設した。こうして，球抜き操作部６は，ガラス扉５１を少し開けるだけでも操作できるようにした。
ただし，球抜き操作部６の配設位置は，前枠２の前面側２０１におけるガラス扉５１を開けて露出する領域であれば，必ずしも上記右側の端部の近傍に限定されず，左側の端部や上下側の端部としてもよい。
【００２９】
なお，図１に示すごとく，上記球抜き操作部６は，ガラス扉５１の裏面側５０２に設けることもできる。
また，上記球抜き操作部６は，前枠２の前面側２０１において，前枠２の前面側２０１に開閉可能に配設した球皿ユニット５２を開けたときに露出する領域に設けることもでき，また，球皿ユニット５２の裏面側に設けることもできる。
【００３０】
なお，本例の球皿ユニット５２は，球皿を上下に２つ配設してなる２皿タイプのものとした。そして，この２皿タイプの球皿ユニット５２としては，上下の球皿が個別に開閉できるもの，又は上下の球皿がセットで開閉できるもののいずれのものも使用できる。また，球皿ユニット５２は，球皿を１つ有する１皿タイプのものとすることもできる。
【００３１】
図１に示すごとく，上記前枠２には，上記ガラス扉５１を閉じた状態で施錠することができる施錠機構２９が設けられている。そして，ガラス扉５１は，パチンコ遊技機１の管理者が施錠機構２９の施錠を解除しない限り開けることができず，上記球抜き操作部６は，管理者しか操作できないようになっている。
【００３２】
図４に示すごとく，上記前枠２において，上記球タンク２３の下部には，球タンク２３内の遊技球８を整列して流下させるためのタンクレール２３１が配設されている。そして，このタンクレール２３１の球出口２３２には，このタンクレール２３１内の遊技球８を流下させるための球流下通路２４が連通形成されている。この球流下通路２４の下方には，上記球タンク２３及びタンクレール２３１内の遊技球８をパチンコ遊技機１の外部抜出口２６１から外部へ抜き出すための球抜き通路２６と，球タンク２３及びタンクレール２３１内の遊技球８を上記球皿ユニット５２へと払い出すための球払出通路２５とが形成されている。
また，本例の球抜き通路２６及びその下流側先端に設けた外部抜出口２６１は，パチンコ遊技機１の裏面側に形成されており，パチンコ遊技機１の裏面側から遊技球８を抜き出すことができる。
【００３３】
図５，図６に示すごとく，上記前枠２には，パチンコ遊技の制御等のパチンコ遊技機１における各種の動作を制御するための制御装置７が配設されている。
また，本例の球抜き操作部６は，上記制御装置７に電気入力信号を送る電気的スイッチである。これにより，球抜き操作部６の配設箇所の制約を少なくすることができ，球抜き操作部６を上記球抜き機構３から離れた箇所に設けることが容易になる。
また，上記球抜き機構３及び球払出機構４は，いずれも上記制御装置７からの電気出力信号を受けて動作可能なアクチュエータを用いて構成されている。
【００３４】
上記球抜き機構３は，上記アクチュエータとしてのソレノイド３１１と，このソレノイド３１１によって移動可能な通路切替部３１とを有している。この通路切替部３１は，図６に示すごとく，上記球流下通路２４から上記球抜き通路２６へと遊技球８を流下させるための球抜き位置３０２と，図５に示すごとく，球流下通路２４から上記球払出通路２５へと遊技球８を流下させるための球払出位置３０１との間で移動可能である。本例の通路切替部３１は，上記球抜き位置３０２においては，球流下通路２４と球抜き通路２６とを連通させ，上記球払出位置３０１においては，球流下通路２４と球払出通路２５とを連通させるよう構成されている。
【００３５】
また，球流下通路２４の途中には，上記球タンク２３及びタンクレール２３１内から所定数の遊技球８を払い出すための球払出機構４が配設されている。この球払出機構４は，上記アクチュエータとしてのモータ４１を回転させ，このモータ４１の出力軸に取り付けた払出スクリュー（図示略）を回転させて，所定の速度で所定数の遊技球８を払い出すことができるものである。
【００３６】
図５に示すごとく，パチンコ遊技機１は，上記球抜き機構３の通路切替部３１が球払出位置３０１に位置しているときには，上記制御装置７により上記球払出機構４を動作させ，上記球タンク２３及びタンクレール２３１から所定数の遊技球８を上記球払出通路２５へと流下させるよう構成されている。
一方で，図６に示すごとく，パチンコ遊技機１は，上記球抜き操作部６の操作を受けて，上記制御装置７により上記球抜き機構３の通路切替部３１を上記球払出位置３０１から上記球抜き位置３０２へと移動させ，上記球払出機構４を動作させることにより，球タンク２３及びタンクレール２３１内の遊技球８を上記球抜き通路２６へと流下させるよう構成されている。
【００３７】
次に，パチンコ遊技機１における遊技球８の払出動作及び抜出動作につき説明する。
図２，図５に示すごとく，上記球抜き機構３の通路切替部３１は，上記ガラス扉５１及び球皿ユニット５２が上記前枠２に閉じられた状態においては，上記球払出位置３０１に位置している。そして。この状態においては，遊技者がパチンコ遊技を行うことができる。
【００３８】
そして，このパチンコ遊技の際に，上記制御装置７に賞球払出（入賞価値に応じて遊技球８を払い出すこと。）又は貸球払出（支払代価に応じて遊技球８を払い出すこと。）の電気入力信号が送られたときには，制御装置７は，上記球払出機構４のモータ４１に電気出力信号を送ってこの球払出機構４を動作させる。
そして，この球払出機構４により，所定数の遊技球８を上記球タンク２３及びタンクレール２３１から上記球流下通路２４を介して上記球払出通路２５へと流下させる。こうして，球払出通路２５に流下した遊技球８を，球皿ユニット５２へと払い出すことができる。
また，このパチンコ遊技の際には，上記球抜き操作部６は，上記ガラス扉５１によって覆われており，遊技者が操作できないようになっている。
【００３９】
そして，図１，図３に示すごとく，例えば，パチンコ遊技機１のメンテナンスが必要になり，球タンク２３及びタンクレール２３１内の遊技球８をパチンコ遊技機１の外部に抜き出すことが必要になったときには，パチンコ遊技機１の管理者は，前枠２に設けた施錠機構２９の施錠を解除し，上記ガラス扉５１を上記前枠２に対して開ける。このとき，前枠２の前面側２０１に設けた球抜き操作部６が露出し，管理者が操作できる状態になる。
【００４０】
そして，図６に示すごとく，管理者が，上記球抜き操作部６を操作すると，この球抜き操作部６から上記制御装置７に電気入力信号が送られる。そして，制御装置７は，この電気入力信号を受け取ると，まず，球抜き機構３のソレノイド３１１に電気出力信号を送ってこの球抜き機構３を動作させ，上記通路切替部３１を上記球払出位置３０１から球抜き位置３０２に移動させる。このとき，位置検出センサ（図示略）により，通路切替部３１が球抜き位置３０２に移動したことを検出し，この検出信号を制御装置７に送る。
こうして，上記球流下通路２４を流下する遊技球８が上記球抜き通路２６へと流下できる状態が形成される。
【００４１】
次いで，制御装置７は，球払出機構４のモータ４１に電気出力信号を送ってこの球払出機構４を動作させ，上記球タンク２３及びタンクレール２３１内の遊技球８を，球流下通路２４を介して上記球抜き通路２６へと流下させる。こうして，球流下通路２４に流下した遊技球８をパチンコ遊技機１の外部に抜き出すことができる。
【００４２】
なお，その後，上記球抜き動作を開始して所定時間が経過したとき，又は払出球検出手段（図示略）が所定時間遊技球８の払出を検出しなかったときには，制御装置７が球払出装置４のモータ４１に電気出力信号を送って球払出装置４の動作を停止させる。また，このとき，制御装置７は，球抜き機構３のソレノイド３１１に電気出力信号を送って，通路切替部３１を球払出位置３０１に復帰させる。
【００４３】
本例のパチンコ遊技機１においては，上記のごとく，上記球抜き操作部６は，上記前枠２の前面側２０１における上記ガラス扉５１を開けた際に露出する領域に設けてある。そのため，パチンコ遊技機１の管理者は，軽量なガラス扉５１を開けるだけで手軽に球抜き操作部６を操作し，遊技球８をパチンコ遊技機１の外部に抜き出すことができる。
【００４４】
一方で，遊技者がパチンコ遊技を行う際には，上記のごとく，上記ガラス扉５１は閉じられて上記施錠機構２９により施錠がされており，遊技者は，上記球抜き操作部６を操作することができない。
それ故，本例によれば，管理者がガラス扉５１を開けて球抜き操作部６を操作して球タンク２３及びタンクレール２３１内から遊技球８を容易に抜き出すことができる一方，遊技者が悪戯をして遊技球８を抜き出してしまうことを防止することができる。
【００４５】
なお，上記球抜き操作部６は，図７に示すごとく，これを誤って操作してしまうことを防止するために，上記前枠２の前面側２０１に形成した凹部２７内に設けることができる。すなわち，本例では，前枠２の前面において，ガラス扉５１を開けた際に露出する領域に，凹部２７が形成されており，球抜き操作部６は，この凹部２７の底面２７１に配設されている。
また，本例では，凹部２７の深さＡは，球抜き操作部６における取付部６１３よりも前面側の前面配設部６１１の厚みＢよりも大きくなっており，球抜き操作部６の表面６１２が，前枠２の前面における凹部２７の周辺部分２７２よりも後退した位置にある。
【００４６】
また，球抜き操作部６は，図８に示すごとく，前枠２の前面側２０１に回動可能に配設した保護カバー２８により覆われていることもできる。この保護カバー２８は，本体部２８１と，この本体部２８１の端部に形成した回動支点部２８２と，この回動支点部２８２を形成した端部とは反対側の端部から突出形成した操作部２８３とを有している。また，操作部２８３には，前枠２の前面側２０１に形成した掛止部２８５に掛止される掛止爪２８４が設けてある。そして，保護カバー２８は，これを前枠２に対して閉じたときには，上記掛止爪２８４が前枠２における掛止部２８５に形成されて，閉じた状態が維持されている。
【００４７】
この場合には，前枠２の前面側２０１に上記凹部２７を設けなくても，球抜き操作部６を誤って操作させてしまうことを防止することができる。また，保護カバー２８は，上記操作部２８３を操作して掛止爪２８４と掛止部２８５との掛止状態を解除し，回動支点部２８２を中心に回動させることにより，上記前枠２に対して開けることができる。
【００４８】
また，図９，図１０に示すごとく，上記球貯留部配設枠は，上記球タンク２３，タンクレール２３１，各通路２４〜２６，球抜き機構３，球払出機構４及び制御装置７等を配設した機構板２１を取り付けた外枠２０とし，上記開閉扉は上記ガラス扉５１を開閉可能に配設した前枠２とすることもできる。この場合には，同図において，上記球抜き操作部６は，上記機構板２１の前面側２１１に設けている。
【００４９】
そして，この場合にも，遊技者がパチンコ遊技を行う際には，上記前枠２を閉じた状態で施錠しておくことができる。そのため，遊技者は球抜き操作部６を操作することができず，遊技者が悪戯をして遊技球８を抜き出してしまうことを防止することができる。なお，この場合には，球抜き操作部６は，上記前枠２の裏面側２０２に設けることもできる。
【００５０】
（実施例２）
本例の球抜き操作部６は，図１１〜図１４に示すごとく，作業者による操作を受けて機械的に移動するものであり，本例の球抜き機構３は，球抜き操作部６の操作に伴って，機械的に動作するものである。
本例の球抜き機構３は，上記球払出位置３０１と上記球抜き位置３０２との間で回動可能な上記通路切替部３１としての通路切替部材３２と，球抜き操作部６により押圧されて回動し，上記通路切替部材３２を上記各位置３０１，３０２に保持することができる回動保持部材３３とを有している。
【００５１】
図１２，図１４に示すごとく，上記通路切替部材３２は，遊技球８が流下する通路の一部を形成する通路形成部３２１と，回動するときの回動支点となる回動支点部３２２と，上記回動保持部材３３と係合して回動が規制される回動ストッパー部３２３とを有している。
また，上記回動保持部材３３は，図１１に示すごとく，上記通路切替部材３２を掛止して通路切替部材３２の回動を防止する掛止位置３０３と，図１３に示すごとく，上記通路切替部材３２の掛止状態を解除して通路切替部材３２を回動可能にするための掛止解除位置３０４とに回動可能である。
【００５２】
図１１，図１３に示すごとく，上記回動保持部材３３は，上記球抜き操作部６に押圧される被押圧部３３１と，回動するときの回動支点となる回動支点部３３２と，上記通路切替部材３２の回動ストッパー部３２３を掛止して，通路切替部材３２の回動を規制する回動掛止部３３３とを有している。
また，回動保持部材３３には，これを上記掛止位置３０３に付勢するための付勢部３３４が形成されている。本例の付勢部３３４は，板状片に形成され弾性変形を行うことにより付勢力を作用させる弾性変形片により構成した。
【００５３】
図１１，図１３に示すごとく，本例の球抜き操作部６は，前枠２の前面側２０１に設けており，上記通路切替部材３２及び回動保持部材３３は，前枠２の裏面側２０２に配設した機構板２１に設けている。
本例の球抜き操作部６は，平板状の操作部６１と，この操作部６１から立設形成した軸部６２とを有しており，前枠２の前面側２０１に設けた凹部２７内に配設されている。また，凹部２７の底面２７１と操作部６１との間には，圧縮バネ６３が配設されており，球抜き操作部６は，これを押し込んだ後には圧縮バネ６３の付勢力により元の位置に戻るよう構成されている。
【００５４】
図１２，図１４に示すごとく，本例の球流下通路２４は，上記タンクレール２３１の球出口２３２（図４参照）から斜め下方に向けて形成されている。そして，球流下通路２４を流下する遊技球８は，横方向への球圧Ｐがかかった状態で流下する。また，上記通路切替部材３２は，上記球流下通路２４の下流側端部の近傍に配設されており，上記球抜き通路２６及び球払出通路２５は，通路切替部材３２の下方に形成されている。
また，図示は省略するが，本例の球払出機構４は，上記球払出通路２５の途中に配設されている。
【００５５】
図１１，図１２に示すごとく，遊技者がパチンコ遊技を行う際には，上記通路切替部材３２は上記球払出位置３０１に位置しており，上記回動保持部材３３は上記掛止位置３０３にある。この状態においては，図１２に示すごとく，通路切替部材３２は，その回動ストッパー部３２３の上面３２３Ａが回動保持部材３３の回動掛止部３３３によって掛止されており，また，図１１に示すごとく，回動保持部材３３が上記付勢部３３４により上記掛止位置３０３に付勢されている。
【００５６】
そして，図１２に示すごとく，通路切替部材３２は，上記球流下通路２４を流下する遊技球８により，上記通路形成部３２１に球圧Ｐが加わったときでも，上記球抜き位置３０２に回動することなく，上記球払出位置３０１に保持されている。そして，制御装置７により球払出機構４を動作させたときには，上記球タンク２３及びタンクレール２３１から上記球流下通路２４を介して上記球払出通路２５へと遊技球８を流下させ，この遊技球８を上記球皿ユニット５２に払い出すことができる。
また，このパチンコ遊技の際には，上記球抜き操作部６は，上記ガラス扉５１によって覆われており，遊技者が操作できないようになっている。
【００５７】
一方で，図１３に示すごとく，パチンコ遊技機１においてメンテナンス等が必要になり，パチンコ遊技機１の管理者が上記球抜き操作部６を押し込んだときには，球抜き操作部６の軸部６２により上記回動保持部材３３の被押圧部３３１が押圧される。そして，回動保持部材３３は，上記掛止位置３０３から上記掛止解除位置３０４に回動し，回動掛止部３３３による回動ストッパー部３２３の掛止状態が解除され，通路切替部材３２が回動可能な状態が形成される。
【００５８】
このとき，図１４に示すごとく，球流下通路２４を流下する遊技球８は，通路切替部材３２の通路形成部３２１に衝突し，この通路切替部材３２に遊技球８による横方向への球圧Ｐが加わる。これにより，通路切替部材３２は，上記球払出位置３０１から上記球抜き位置３０２へと回動する。
そして，この状態においては，上記球タンク２３及びタンクレール２３１から上記球流下通路２４を介して上記球抜き通路２６へと遊技球８を流下させ，この遊技球８を上記パチンコ遊技機１の外部に抜き出すことができる。
【００５９】
そして，通路切替部材３２が球抜き位置３０２に回動した状態で，管理者が球抜き操作部６を放すと，図１１に示すごとく，この球抜き操作部６が上記圧縮バネ６３の付勢力により元の位置に戻ると共に，上記回動保持部材３３が上記付勢部３３４により上記掛止位置３０３に復帰する。これにより，図１４に示すごとく，通路切替部材３２の回動ストッパー部３２３の下面３２３Ｂが，回動保持部材３３の回動掛止部３３３によって掛止されて，通路切替部材３２が球抜き位置３０２に保持される。
【００６０】
そして，図１３に示すごとく，上記球タンク２３及びタンクレール２３１内の遊技球８をパチンコ遊技機１の外部に抜き出した後には，再び管理者が球抜き操作部６を押し込むことにより，通路切替部材３２をその自重により球抜き位置３０２から球払出位置３０１に戻すことができる。
【００６１】
本例によっても，パチンコ遊技機１から遊技球８を外部に抜き出すことが容易であり，かつ遊技者が悪戯をして抜き出してしまうことを防止することができる。また，その他は，上記実施例１と同様であり，上記実施例１と同様の作用効果を得ることができる。
なお，上記前枠２の前面側２０１には，上記球抜き操作部６及び圧縮バネ６３を設ける代わりに，操作棒（差込棒）を差し込むことによって回動保持部材３３を回動させることができる操作孔を設けてもよい。この場合にも，上記と同様の作用効果を得ることができる。また，この場合には，上記操作孔が上記球抜き操作部に相当する。
【図面の簡単な説明】
【図１】実施例１における，前枠に対してガラス扉を開け，球抜き操作部を露出させた状態のパチンコ遊技機を示す説明図。
【図２】実施例１における，球抜き操作部を設けた前枠に対してガラス扉を閉じた状態のパチンコ遊技機を上下方向の任意箇所の断面で示す断面説明図。
【図３】実施例１における，球抜き操作部を設けた前枠に対してガラス扉を開けた状態のパチンコ遊技機を上下方向の任意箇所の断面で示す断面説明図。
【図４】実施例１における，球タンク，タンクレール，各通路，球抜き機構，球払出機構及び制御装置等を配設した機構板を，パチンコ遊技機の裏面側から見た状態で示す裏面図。
【図５】実施例１における，球抜き機構の通路切替部が球払出位置にあり，球払出機構により遊技球を球払出通路に流下させている状態を示す説明図。
【図６】実施例１における，球抜き機構の通路切替部を球抜き位置に移動させ，球払出機構により遊技球を球抜き通路に流下させている状態を示す説明図。
【図７】実施例１における，前枠の前面側に形成した凹部内に，球抜き操作部を設けた状態を示す断面説明図。
【図８】実施例１における，前枠の前面側に配設した保護カバーにより，球抜き操作部を覆った状態を示す断面説明図。
【図９】実施例１における，球貯留部配設枠を機構板を取り付けた外枠とし，開閉扉を前枠とした他のパチンコ遊技機の上下方向の任意箇所の断面を，外枠に対して前枠を閉じた状態で示す断面説明図。
【図１０】実施例１における，球貯留部配設枠を機構板を取り付けた外枠とし，開閉扉を前枠とした他のパチンコ遊技機の上下方向の任意箇所の断面を，外枠に対して前枠を開けた状態で示す断面説明図。
【図１１】実施例２における，前枠に対してガラス扉を閉じた状態における球抜き操作部及び球抜き機構を，パチンコ遊技機の上方から見た状態で示す断面説明図。
【図１２】実施例２における，球抜き機構の通路切替部材が球払出位置にあり，遊技球を球払出通路に流下させている状態を示す説明図。
【図１３】実施例２における，前枠に対してガラス扉を開け，球抜き操作部を操作し球抜き機構の回動保持部材を回動させた状態を，パチンコ遊技機の上方から見た状態で示す断面説明図。
【図１４】実施例２における，球抜き機構の通路切替部材を球抜き位置に回動させ，遊技球を球抜き通路に流下させている状態を示す説明図。
【符号の説明】
１．．．パチンコ遊技機，
２０．．．外枠，
２．．．前枠，
２０１．．．前面側，
２１．．．機構板，
２３．．．球タンク，
２４．．．球流下通路，
２５．．．球払出通路，
２６．．．球抜き通路，
２７．．．凹部，
２８．．．保護カバー，
２９．．．施錠機構，
３．．．球抜き機構，
３０２．．．球抜き位置，
３０１．．．球払出位置，
３０３．．．掛止位置，
３０４．．．掛止解除位置，
３１．．．通路切替部，
３２．．．通路切替部材，
３３．．．回動保持部材，
４．．．球払出機構，
５１．．．ガラス扉，
５０２．．．裏面側，
５２．．．球皿ユニット，
６．．．球抜き操作部，
７．．．制御装置，
８．．．遊技球，
【図１】
2005006847.tif 000003
【図２】
2005006847.tif 000004
【図３】
2005006847.tif 000005
【図４】
2005006847.tif 000006
【図５】
2005006847.tif 000007
【図６】
2005006847.tif 000008
【図７】
2005006847.tif 000009
【図８】
2005006847.tif 000010
【図９】
2005006847.tif 000011
【図１０】
2005006847.tif 000012
【図１１】
2005006847.tif 000013
【図１２】
2005006847.tif 000014
【図１３】
2005006847.tif 000015
【図１４】
2005006847.tif 000016